(57)【要約】【課題】  棚板に陳列棚への取付部材を設ける必要がなく、かつ棚板の長さ方向及び幅方向へのずれを防止して棚板を脱落させることのない陳列棚の棚受け構造を提供する。【解決手段】  左右棚板支持バー５では、その前後の各フレームにそれぞれ係合する係合部５ｂの近傍に前後バー取付部５ａが形成されており、ここに取り付けた前後棚板支持バー５１，５２上に棚板７５を載せるだけで支持することができるので、棚板７５に陳列棚への取付部材等を設ける必要がない。これは、棚への取付部材を設けるのが難しいガラス等の材質からなる棚板を支持する場合、特に好適に用いることができる。また、左右棚板支持バー５に形成された棚板ガイド部５ｃの上側縁を、長さ方向に渡って前後棚板支持バー５１，５２上に載置された棚板７５よりも上方に位置させているので、棚板７５を幅方向外側から確実にガイドすることができ、棚板７５の脱落を防止できる。【選択図】  図１
2005160950.tif 000002
【特許請求の範囲】
【請求項１】
陳列棚の幅方向両側で前後に位置するフレーム間に渡設された左右棚板支持バーと、当該左右棚板支持バーの前後部にそれぞれ取り付けられ、棚板をその幅方向で支持する前後棚板支持バーとを備え、
前記左右棚板支持バーは、その上側縁が前後棚板支持バー上に載置された棚板よりも上方に位置するように形成された棚板ガイド部を備え、
前記棚板を、陳列棚の前後に位置する各フレーム間、及び左右に位置する前記棚板ガイド部間に位置した状態で支持するようにしたことを特徴とする陳列棚の棚受け構造。
【請求項２】
前記左右棚板支持バーは、前記陳列棚の前後に位置するフレームに設けられた係合穴に係合する係合部を備え、前記左右棚板支持バーが水平状態のとき、前記係合部が前記係合穴と所定の隙間を空けて係合していることを特徴とする請求項１に記載の陳列棚の棚受け構造。
【発明の詳細な説明】
【技術分野】
【０００１】
本発明は、陳列棚の棚受け構造に関し、詳細には、陳列棚に取り付けた棚板支持バー上に棚板を載せて棚板を支持する棚受け構造であって、特に、ガラス材からなる棚板を支持するのに好適な陳列棚の棚受け構造に関する。
【背景技術】
【０００２】
従来から、商品を棚板上に載置して陳列するための陳列棚として、鉛直方向に延びる複数本のフレームに棚板が取り付けられて構成されるものや、左右の側板間に棚板が取り付けられて構成されるもの等が提案されている。例えば、特許文献１では、棚板を左右の側板間で挟み込んで、棚板と側板間に設けた受け具を側板上の係止孔に掛止させることにより、受け具を介して棚板を側板に取り付けることで構成される陳列棚が提案されている。
【特許文献１】特開平１０−９４４６３号公報
【発明の開示】
【発明が解決しようとする課題】
【０００３】
上記のような陳列棚では、その棚板が一般的に加工性に優れた材質からなるものであるため、棚板を陳列棚のフレーム等の取付対象に取り付けるための部材をその棚板自体に設けることは比較的容易である。ところが、棚板がガラス等の加工性が比較的悪い材質からなるものである場合は、棚板自体に取付対象への取付部材を設けることが困難であるため、棚板を支持する支持部材を別体として陳列棚に設置する必要がある。しかしながら、一般的にこのような構造の陳列棚では、棚板が棚板の支持部材上に載置されるだけで構成されるので、棚板をその長さ方向もしくは幅方向で適正にガイドすることができず、棚板が前後もしくは左右方向にずれて支持部材上から脱落してしまう可能性があるという問題があった。
【０００４】
本発明は、上記課題を解決するためになされたものであり、棚板に陳列棚への取付部材を設ける必要がなく、かつ棚板の長さ方向及び幅方向へのずれを防止して棚板を脱落させることのない陳列棚の棚受け構造を提供することを目的とする。
【課題を解決するための手段】
【０００５】
上記目的を達成するために、請求項１に記載の陳列棚の棚受け構造は、陳列棚の幅方向両側で前後に位置するフレーム間に渡設された左右棚板支持バーと、当該左右棚板支持バーの前後部にそれぞれ取り付けられ、棚板をその幅方向で支持する前後棚板支持バーとを備え、前記左右棚板支持バーは、その上側縁が前後棚板支持バー上に載置された棚板よりも上方に位置するように形成された棚板ガイド部を備え、前記棚板を、陳列棚の前後に位置する各フレーム間、及び左右に位置する前記棚板ガイド部間に位置した状態で支持するようにしたことを特徴とする。
【０００６】
また、請求項２に記載の陳列棚の棚受け構造は、請求項１に記載の陳列棚の棚受け構造の構成に加えて、前記左右棚板支持バーは、前記陳列棚の前後に位置するフレームに設けられた係合穴に係合する係合部を備え、前記左右棚板支持バーが水平状態のとき、前記係合部が前記係合穴と所定の隙間を空けて係合していることを特徴とする。
【発明の効果】
【０００７】
本発明に係る陳列棚の棚受け構造は、陳列棚の幅方向両側で前後に位置するフレーム間に渡設された左右棚板支持バーと、該左右棚板支持バーの前後部にそれぞれ取り付けられ、棚板をその幅方向で支持する前後棚板支持バーとを備え、左右棚板支持バーは、その上側縁が前後棚板支持バー上に載置された棚板よりも上方に位置するように形成された棚板ガイド部を備え、棚板を、陳列棚の前後に位置する各フレーム間、及び左右に位置する棚板ガイド部間に位置した状態で支持するようにした。このような構造では、棚板に陳列棚のフレームへの取付部材を設ける必要がなく、棚板支持バー上に棚板を載置するだけで簡単に構成することができると共に、棚板を前後及び左右方向にずれることなく支持することができ、棚板の脱落を確実に防止することができる。また、本発明に係る棚受け構造は、棚板がガラス材からなる場合に特に好適に用いることができる。
【０００８】
また、左右棚板支持バーは、陳列棚の前後に位置するフレームに設けられた係合穴に係合する係合部を備えているので、係合部を係合穴に係合させるだけで簡単に左右棚板支持バーをフレーム間に渡設することができる。また、左右棚板支持バーが水平状態のとき、係合部と係合穴との間には所定の隙間が空いているので、左右棚板支持バーを多少傾斜させても、陳列棚の前後に位置するフレーム間に傾斜した状態のまま渡設することができ、傾斜した左右棚板支持バー上に棚板を載置することで、棚板状の陳列物をより見やすい状態にできる。
【発明を実施するための最良の形態】
【０００９】
以下、本発明を具体化した陳列棚の棚受け構造の一実施形態について、図を参照して説明する。ここで、本実施の形態の棚受け構造を用いた陳列棚は、鉛直方向に延びる４本のフレームに対して、棚板支持用の棚板支持バーを長方形の枠状に組み付け、その支持バー上に棚板を載置することで構成されるものである。図１に示すように、陳列棚１は、それぞれ左右（幅）方向に等しい所定間隔を空けて一対の状態で設けられた前側のフレーム２１，２２及び後側のフレーム２３，２４の計４本のフレームを備えている。各フレームはそれぞれ同一形状を有し、所定厚を有する左右一対の壁部及び前後一対の壁部を有する四角筒型形状となっている。また、前側のフレーム２１，２２と後側のフレーム２３，２４とは、各フレームの幅方向間隔よりも狭い間隔をもって前後方向に離間しており、各フレームの前後方向で対向する壁部には、棚板７５を支持するための左右棚板支持バー５，５が係合する係合穴Ｈがそれぞれ穿設されている。この係合穴Ｈは、上下方向に長手の長方形状であり、上下方向に並んで、所定ピッチを空けて複数個穿設されている。
【００１０】
左右棚板支持バー５，５は、陳列棚１の前後方向に延びる長尺形状を有し、左側に位置する前後のフレーム２１，２３間、及び右側に位置する前後のフレーム２２，２４間に、それぞれ各フレームに設けられた係合穴Ｈに係合することで取り付けられるようになっている。さらに、これら左右棚板支持バー５，５の前側端部間に、陳列棚１の幅方向に延びる長尺の前側棚板支持バー５１を取り付け、左右棚板支持バー５，５の後側端部間に、同じく長尺の後側棚板支持バー５２を取り付けて、これら左右棚板支持バー５，５及び前後棚板支持バー５１，５２で長方形の枠体を形成して、該枠体上に棚板７５を載せることで陳列棚１が構成されることになる。前後棚板支持バー５１，５２については後述する。
【００１１】
次に図２を参照して、左右棚板支持バー５の構造について説明する。尚、図２では、手前から奥行き方向に向かって陳列棚１の前後方向としており、左右方向が陳列棚１の左右（幅）方向となっている。左右棚板支持バー５は、所定厚を有する略長方形の板状部材であり、その長さ方向両端部が縮幅して、該部分に前後棚板支持バー５１，５２が取り付けられる前後バー取付部５ａと、上述の各フレームに設けられた係合穴Ｈに係合する係合部５ｂとが形成されている。詳しくは、左右棚板支持バー５の下側の長手方向側縁は、当該バー５の全長に渡って延びており、左右棚板支持バー５の長さ方向両端部において、前記下側と対向する上側の長手方向側縁から、左右棚板支持バー５の全幅の略３分の１幅と、当該幅の３倍程度の長さをもって形成された切り欠きによって前記両端部は縮幅しており、該部分の基端側に前後バー取付部５ａが、先端側に係合部５ｂがそれぞれ形成されている。
【００１２】
左右棚板支持バー５の長さ方向両端部において、係合部５ｂの下側の長手方向側縁には、略長方形の切り欠き３１が形成されており、この切り欠き３１によって係合部５ｂは略Ｌ字型形状となっている。そして、左右棚板支持バー５をフレーム間に渡設する際、切り欠き３１が係合穴Ｈの周縁部に嵌り込んで、切り欠き３１の外側に形成された略Ｌ字型の箇所が係合穴Ｈに係合することになる。また、切り欠き３１の棚板支持バー５の長手方向と平行方向の長さは、上記した陳列棚の各フレームの前後壁部（係合穴Ｈが穿設された壁部）の板厚よりも長くなっているので、左右棚板支持バー５を陳列棚１の前後フレーム間に水平な状態で渡設したときに、切り欠き３１と係合穴Ｈとの間には所定の隙間が空くようになっている。尚、前後バー取付部５ａは、前後棚板支持バー５１，５２（図１参照）が載置された状態で取り付けられる部分であるが、後述するように、前後棚板支持バー５１，５２側には、左右棚板支持バー５に嵌合する嵌合部が形成されているので、実質的には係合部５ｂを除いた縮幅部の上側部分が前後バー取付部５ａとなっている。
【００１３】
また、左右棚板支持バー５の係合部５ｂ及び前後バー取付部５ａが形成された縮幅部以外の箇所は、左右棚板支持バー５に取り付けられた棚板支持バー５１，５２上の棚板７５を、その幅方向両側でガイドするための棚板ガイド部５ｃとなっている。この棚板ガイド部５ｃは、前記縮幅部よりも幅の広い（背の高い）略長方形状の部分であり、そこよりも背の低い縮幅部に取り付けられた棚板支持バー５１，５２上の棚板７５をその幅方向両側でガイドするようになっている。即ち、棚板ガイド部５ｃは、棚板７５をガイドするために、少なくともその上側縁５５が棚板７５の上面よりも上方に位置するような形状となっていることが必要である。
【００１４】
また、図１及び図３に示すように、前後棚板支持バー５１，５２は共に同一形状を有し、それぞれ陳列棚１の左右方向（幅方向）に延びる長尺形状であって、断面略長方形の角棒状部材である。前側の棚板支持バー５１について、詳しくは、棚板７５の幅方向寸法より僅かに長く延びており、その長さ方向両端部には、左右棚板支持バー５の前後バー取付部５ａに嵌合する嵌合部１５１，１５１が一対となって形成されている。嵌合部１５１は、図３に拡大して示すように、下方に開口したコの字型断面を棚板支持バー５１の幅方向に渡って引き延ばした形状となっている。そして、コの字型断面を形成する一対の面が、図２に示す左右棚板支持バー５の前後バー取付部５ａを挟み込んだ状態で、この一対の両面を連結する面が前後バー取付部５ａに当接することによって、前後バー取付部５ａに棚板支持バー５１が載置された状態で取り付けられることになる。また、後側の棚板支持バー５２は、前側の棚板支持バー５１と同一形状を有し、その長さ方向両端部に一対の嵌合部１５２，１５２を備えている。そして、棚板支持バー５１と同様にして前後バー取付部５ａに取り付けられることになる。
【００１５】
次に、図１及び図４を参照して、棚板支持バーを用いて棚板７５を支持する構造について説明する。図１及び図４に示すように、棚板７５を支持するに際して、まず、左右棚板支持バー５，５の長さ方向両端部に形成された切り欠き３１間距離とほぼ等しい距離だけ離れて位置する陳列棚１の左側の前後フレーム２１，２３及び右側の前後フレーム２２，２４間に左右棚板支持バー５，５を渡設する。このとき、左右棚板支持バー５，５の各係合部５ｂの切り欠き３１周縁に形成された略Ｌ字型の部分を、それぞれ前後フレームに形成された同じ高さの係合穴Ｈに係合させる。
【００１６】
次いで、左右棚板支持バー５の前側に位置する前後バー取付部５ａに前側の棚板支持バー５１の嵌合部１５１をそれぞれ嵌合させて、左右棚板支持バー５，５間に棚板支持バー５１を渡設し、左右棚板支持バー５の後側に位置する前後バー取付部５ａに後側の棚板支持バー５２の嵌合部１５２をそれぞれ嵌合させて、左右棚板支持バー５，５間に棚板支持バー５２を渡設して、左右棚板支持バー５，５、前後棚板支持バー５１，５２で略長方形の枠体を形成する。そして、左右棚板支持バー５，５に幅方向で挟まれた状態で、前後棚板支持バー５１，５２上に棚板７５を載置することにより、陳列棚１が構成される。
【００１７】
この状態では、棚板７５は、その幅方向両側縁が左右棚板支持バー５の棚板ガイド部５ｃによってガイドされており、さらに、図中２点鎖線で示すようにその上面７５ａが棚板ガイド部５ｃの上側縁５５よりも下方に位置しているため、左右方向（幅方向）にずれて棚板支持バー上から脱落してしまうことがない。また、棚板７５の前後方向側縁は、正面視で陳列棚１の４本のフレーム２１〜２４とその一部がラップした状態で、かつ前側フレーム２１，２２、後側フレーム２３，２４の内側に位置しているため、棚板７５が前後方向にずれて棚板支持バー上から脱落してしまうこともない。即ち、本実施形態の棚受け構造を用いて棚板を支持するようにしたことにより、棚板の左右方向及び前後方向へのずれを防止でき、棚板の脱落を確実に防止することができる。
【００１８】
また、図５に示すように、左右棚板支持バー５は、水平状態のみならず傾斜した状態でも陳列棚１の前後フレーム間に渡設することができる。詳しくは、上述したように、左右棚板支持バー５の係合部５ｂの切り欠き３１は、その長さが少し大きめに形成されているので、左右棚板支持バー５が水平状態のときは切り欠き３１と陳列棚１のフレームの係合穴Ｈとの間に隙間が空いた状態となり、左右棚板支持バー５を傾斜させてもその長さ方向両端部に形成された切り欠き３１と前後のフレームの係合穴Ｈとが係合可能となっている。従って、棚板支持バー上に棚板を傾斜した状態で載置したいような場合にも、その傾斜角度が小さければ、本実施形態の左右棚板支持バー５を用いることによって棚板を傾斜した状態で保持することができる。
【００１９】
以上説明したように、本実施の形態の陳列棚の棚受け構造では、陳列棚の前後の各フレーム間に左右棚板支持バー５，５を渡設し、該左右棚板支持バー５に形成された前後バー取付部５ａに取り付けた棚板支持バー５１，５２上に対し、棚板７５を載せるだけで支持できるので、棚板７５自体に陳列棚１への取付部材等を設ける必要がない。従って、棚板が、棚への取付部材を設けるのが難しいガラス等の材質からなる場合、本実施形態の棚受け構造を好適に用いることができる。また、左右棚板支持バー５の係合部５ｂ間に形成された棚板ガイド部５ｃは、その上側縁が長さ方向に渡って前後棚板支持バー５１，５２上に載置された棚板７５よりも上方に位置するような形状となっているので、棚板７５をその幅方向外側で確実にガイドすることができ、棚板７５が横方向に移動して脱落するのを防止することができる。尚、ガラス製以外の棚板が載せられる場合にも本発明に係る陳列棚の棚受け構造を好適に用いることができることはいうまでもなく、また、本発明は上記実施の形態に限られず、各種の変形が可能である。
【図面の簡単な説明】
【００２０】
【図１】陳列棚１の斜視図である。
【図２】左右棚板支持バー５の斜視図である。
【図３】前側の棚板支持バー５１の斜視図である。
【図４】本発明に係る棚受け構造を示す分解斜視図である。
【図５】棚板支持バー５を水平及び傾斜の各状態でそれぞれ前後のフレーム間に渡設した状態を示す側面図である。
【符号の説明】
【００２１】
１    陳列棚
５    左右棚板支持バー
５ｂ    係合部
５ｃ    棚板ガイド部
３１    切り欠き
５１，５２    前後棚板支持バー
５５    ガイド部の上側縁
７５    棚板
Ｈ    係合穴
【図１】
2005160950.tif 000003
【図２】
2005160950.tif 000004
【図３】
2005160950.tif 000005
【図４】
2005160950.tif 000006
【図５】
2005160950.tif 000007